(57)【要約】      （修正有）【課題】メガネの収納や取り出しが容易で、更に簡便に自宅や事務所等にも配置できるメガネ掛け具を提供する。【解決手段】鼻掛け部で連結された左右対となるレンズ部と、レンズ部の両側に設けられた左右の耳掛け部を備えたメガネを保管するメガネ掛け具１０であって、土台１８と、土台１８の後側中央部に垂直に基端部１９が固着された柱材２０と、柱材２０から左右両側に突出し、突出した先側には左右の耳掛け部が嵌入する溝２２、２３がそれぞれ設けられた第１の水平材２４と、柱材２０の前側から突出し、突出した先側には鼻掛け部が嵌入する溝２５が形成された第２の水平材２６とを有する。【選択図】図１
0003161405.tif 000002
【実用新案登録請求の範囲】
【請求項１】
鼻掛け部で連結された左右対となるレンズ部と、該レンズ部の両側に設けられた左右の耳掛け部を備えたメガネを保管するメガネ掛け具であって、
土台と、該土台の後側中央部に垂直に基端部が固着された柱材と、該柱材から左右両側に突出し、突出した先側には前記左右の耳掛け部が嵌入する溝がそれぞれ設けられた第１の水平材と、前記柱材の前側から突出し、突出した先側には前記鼻掛け部が嵌入する溝が形成された第２の水平材とを有することを特徴とするメガネ掛け具。
【請求項２】
請求項１記載のメガネ掛け具において、前記第１の水平材は前記柱材を貫通し、前記第２の水平材は前記第１の水平材と同一直径となって、前記柱材への前記第２の水平材の取付け位置は、前記柱材への前記第１の水平材の取付け位置の直下位置にあることを特徴とするメガネ掛け具。
【請求項３】
請求項１又は２記載のメガネ掛け具において、前記第１及び第２の水平材からなるメガネ保持部材は、高さを変えて前記柱材に複数段設けられていることを特徴とするメガネ掛け具。
【請求項４】
請求項１〜３のいずれか１記載のメガネ掛け具において、前記土台には、携帯電話の下側が嵌入できる角形の窪みが設けられていることを特徴とするメガネ掛け具。
【請求項５】
請求項１〜４のいずれか１記載のメガネ掛け具において、前記土台には筆記具を挿入するための小穴が設けられていることを特徴とするメガネ掛け具。
【請求項６】
請求項１〜５のいずれか１記載のメガネ掛け具において、前記第１の水平材の左右先側に設けられている溝、及び前記第２の水平材の先側に設けられている溝は、それぞれ対となって２つずつ形成され、大小２種類の前記メガネをガタなく収納可能となっていることを特徴とするメガネ掛け具。
【請求項７】
請求項１〜６のいずれか１記載のメガネ掛け具において、前記土台は平面視して縦長長方形の木製土台からなり、前記柱材は丸柱からなっていることを特徴とするメガネ掛け具。
【請求項８】
請求項１〜６のいずれか１記載のメガネ掛け具において、前記土台は木製であると共に、前記柱材、前記第１の水平材、及び前記第２の水平材はそれぞれ断面円形の木材であって、前記柱材の直径は、前記第１、第２の水平材の直径より大きいことを特徴とするメガネ掛け具。
【請求項９】
請求項１〜６のいずれか１記載のメガネ掛け具において、前記土台、前記柱材、前記第１の水平材、及び前記第２の水平材はそれぞれ合成樹脂材であることを特徴とするメガネ掛け具。
【考案の詳細な説明】
【技術分野】
【０００１】
本考案は、例えば自宅や会社等で、メガネを掛けて保管するようにしたメガネ掛け具に関する。
【背景技術】
【０００２】
メガネは、従来は例えば特許文献１に記載のようなメガネケースに入れて保管し、使う時はメガネケースから取り出していた。また、店舗等でメガネを飾る場合には、例えば、多数のメガネを並べて陳列するメガネ陳列什器が提案されていた。
【先行技術文献】
【特許文献】
【０００３】
【特許文献１】実用新案登録第３０５０９４９号公報
【考案の概要】
【考案が解決しようとする課題】
【０００４】
しかしながら、特許文献１に記載のようなメガネケースは、メガネを収納又は取り出す時にレンズが汚れたりし、更には、メガネのメガネケースへの出し入れが面倒であるという問題があった。
そして、店舗等で使用するメガネ陳列什器においては、大量のメガネを陳列収納するのが目的であるので、個人が家庭で使用するには不向きであった。
【０００５】
本考案は係る事情に鑑みてなされたもので、メガネの収納や取り出しが容易で、更に簡便に自宅や事務所等にも配置できるメガネ掛け具を提供することを目的とする。
【課題を解決するための手段】
【０００６】
前記目的に沿う本考案に係るメガネ掛け具は、鼻掛け部（ブリッジ：即ち、両方のレンズ又はレンズ枠を連結する部分）で連結された左右対となるレンズ部と、該レンズ部の両側に設けられた左右の耳掛け部を備えたメガネを保管するメガネ掛け具であって、
土台と、該土台の後側中央部に垂直に基端部が固着された柱材と、該柱材から左右両側に突出し、突出した先側には前記左右の耳掛け部が嵌入する溝がそれぞれ設けられた第１の水平材と、前記柱材の前側から突出し、突出した先側には前記鼻掛け部が嵌入する溝が形成された第２の水平材とを有する。
【０００７】
本考案に係るメガネ掛け具において、前記第１の水平材は前記柱材を貫通し、前記第２の水平材は前記第１の水平材と同一直径となって、前記柱材への前記第２の水平材の取付け位置は、前記柱材への前記第１の水平材の取付け位置の直下位置（即ち、第１の水平材と第２の水平材の上下方向隙間が例えば０〜１０ｍｍの範囲）にあるのが好ましい。
また、本考案に係るメガネ掛け具において、前記第１及び第２の水平材からなるメガネ保持部材は、高さを変えて前記柱材に複数段設けられていることもある。なお、メガネ保持部材は１段であってもよい。
【０００８】
更には、本考案に係るメガネ掛け具において、前記土台には、携帯電話の下側が嵌入できる角形の窪みや、筆記具を挿入するための小穴が設けられているのが好ましい。
【０００９】
本考案に係るメガネ掛け具において、前記第１の水平材の左右先側に設けられている溝、及び前記第２の水平材の先側に設けられている溝は、それぞれ対となって２つずつ形成され、大小２種類の前記メガネをガタなく収納可能となっているのが好ましい。なお、メガネ保持部材に、大小２種類のメガネを同時に掛ける場合もあり、大小２種類のメガネのいずれか一方のみしか掛けない場合もある。
【００１０】
そして、本考案に係るメガネ掛け具において、１）前記土台は平面視して縦長長方形の木製土台からなり、前記柱材は丸柱からなっている場合、２）前記土台は木製であると共に、前記柱材、前記第１の水平材、及び前記第２の水平材はそれぞれ断面円形の木材であって、前記柱材の直径は、前記第１、第２の水平材の直径より大きい場合、３）前記土台、前記柱材、前記第１の水平材、及び前記第２の水平材はそれぞれ合成樹脂材である場合がある。
【考案の効果】
【００１１】
本考案に係るメガネ掛け具は、土台の後側中央部に垂直に基端部が固着された柱材と、柱材から左右両側に突出し、突出した先側にはメガネの左右の耳掛け部が嵌入する溝がそれぞれ設けられた第１の水平材と、柱材の前側から突出し、突出した先側には鼻掛け部が嵌入する溝が形成された第２の水平材とを有するので、メガネの左右の耳掛け部を折り畳まない（即ち、広げた）状態で、このメガネ掛け具に掛けることができ、メガネが汚れたり、疵が付くことが少なくなった。
また、一目してメガネの種類が判別できるので、容易にメガネを取り出すことができ、収納も置くだけであるので簡単となる。
【００１２】
特に、本考案に係るメガネ掛け具において、第１の水平材が柱材を貫通し、第２の水平材の取付け位置が、第１の水平材の取付け位置の直下位置にある場合は、メガネが前下がりとなるので、このメガネ掛け具に対してメガネの装着及び取り出しが容易となる。特に、鼻掛け部の位置が下位置にあるメガネには最適である。
【００１３】
本考案に係るメガネ掛け具において、第１及び第２の水平材からなるメガネ保持部材が、高さを変えて柱材に複数段設けられている場合には、複数のメガネを同時に収納することができる。
【００１４】
本考案に係るメガネ掛け具において、土台に携帯電話の下側が嵌入できる角形の窪みが設けられている場合は、携帯電話の収納ができ、土台に筆記具を挿入するための小穴が設けられている場合には、筆記具も収納できる。
【００１５】
本考案に係るメガネ掛け具において、第１の水平材の左右先側に設けられている溝、及び第２の水平材の先側に設けられている溝が、それぞれ対となって２つずつ形成されている場合には、大小２種類のメガネをガタなく収納可能となる。
【００１６】
本考案に係るメガネ掛け具において、土台が平面視して縦長長方形の木製土台からなり、柱材は丸柱からなっている場合には、製造が容易である。
また、本考案に係るメガネ掛け具において、土台が木製であると共に、柱材、第１の水平材、第２の水平材がそれぞれ断面円形の木材である場合は、材料の入手が容易で、切削加工も更に容易で少量生産に最適である。また、木材であるから廃棄処分も容易となる。
【００１７】
本考案に係るメガネ掛け具において、土台、柱材、第１の水平材、及び第２の水平材がそれぞれ合成樹脂材である場合には、大量生産に適している。
【図面の簡単な説明】
【００１８】
【図１】本考案の第１の実施の形態に係るメガネ掛け具の斜視図である。
【図２】同メガネ掛け具の使用状態を説明する斜視図である。
【図３】本考案の第２の実施の形態に係るメガネ掛け具の使用状態の斜視図である。
【図４】本考案の第３の実施の形態に係るメガネ掛け具の斜視図である。
【考案を実施するための形態】
【００１９】
続いて、本考案の実施の形態を図面を参照しながら説明する。
図２に示すように、本考案の第１の実施の形態に係るメガネ掛け具１０は、鼻掛け部（通称「ブリッジ」）１１で連結された左右対となるレンズ部１２、１３と、レンズ部１２、１３の両側に設けられた左右の耳掛け部１４、１５を備えたメガネ１６を保管するためのものである。
【００２０】
図１に示すように、メガネ掛け具１０は、木製の板を平面視して縦長長方形に形成した土台１８と、土台１８の後側中央部に垂直に基端部１９が固着された丸柱からなる柱材２０と、柱材２０から左右両側に突出し、突出した先側には左右の耳掛け部１４、１５が嵌入する溝２２、２３がそれぞれ設けられた第１の水平材２４と、柱材２０の前側から突出し、突出した先側には鼻掛け部１１が嵌入する溝２５が形成された第２の水平材２６とを有する。以下、これらについて詳しく説明する。
【００２１】
この実施の形態においては、柱材２０、第１、第２の水平材２４、２６は木製丸棒からなって、長さが２０〜３０ｃｍの柱材２０の直径は、例えば１５〜２０ｍｍ、直径が同一の第１、第２の水平材２４、２６の突出長さは例えば８〜１０ｃｍ程度で、直径は例えば、８〜１２ｍｍの範囲となっている。そして、第１の水平材２４は柱材２０を貫通し、第２の水平材２６の柱材２０への取付け位置は、第１の水平材２４の柱材２０への取付け位置の直下位置（例えば、隙間が０〜１０ｍｍ）にある。
【００２２】
この実施の形態では、溝２２、２３、２５が形成された第１及び第２の水平材２４、２６で、一つのメガネ保持部材を形成し、このメガネ掛け具１０においては、７０〜９０ｍｍの高さ（即ち、上下方向の間隔）を変えて柱材２０に３個（即ち、３段に渡って）設けられている。なお、メガネ保持部材は１段、２段、又は４段以上とすることもできる。
【００２３】
そして、土台１８の手前側には、携帯電話（図３参照）２８の下側が嵌入できる角形の窪み２９が設けられている。これによって、携帯電話２８をこの部分に装着できる。なお、必要に応じて携帯電話２８の充電器を土台１８に組み込んでもよい。
【００２４】
従って、このメガネ掛け具１０を使用する場合、メガネ１６の耳掛け部１４、１５を広げた状態で、耳掛け部１４、１５を溝２２、２３内に入れ、鼻掛け部１１を溝２５内に入れる。これによって、メガネ１６はこのメガネ掛け具１０に収納され、取り出す場合はそののまま、取り出せる。
【００２５】
続いて、図３を参照しながら、本考案の第２の実施の形態に係るメガネ掛け具３１について説明するが、第１の実施の形態に係るメガネ掛け具１０と同一の構成要素については、同一の番号を付してその詳しい説明を省略する（第３の実施の形態についても同じ）。
【００２６】
第２の実施の形態に係るメガネ掛け具３１は、土台１８と、土台１８の後側中央部に垂直に基端部１９が固着された丸柱からなる柱材３２と、柱材３２から左右両側に突出し、突出した先側には左右の耳掛け部１４、１５が嵌入する溝２２、２３がそれぞれ設けられた第１の水平材２４と、柱材２０の前側から突出し、突出した先側には鼻掛け部１１が嵌入する溝２５が形成された第２の水平材２６とを有する。
メガネ掛け具１０と相違する点は、第１、第２の水平材２４、２６から構成されるメガネ保持部材は、このメガネ掛け具３１においては、２つ（２段）しか設けられていない点である。従って、この分だけ、柱材３２は柱材２０より短くなっている。
【００２７】
図４を参照しながら、本考案の第３の実施の形態に係るメガネ掛け具３５について説明する。このメガネ掛け具３５は、土台３６と、土台３６の後側中央部に垂直に基端部３７が固着された丸柱からなる柱材３８と、柱材３８から左右両側に突出し、突出した先側には左右の耳掛け部１４、１５が嵌入する溝４０〜４３がそれぞれ設けられた第１の水平材４４と、柱材３８の前側から突出し、突出した先側には鼻掛け部１１が嵌入する溝４５、４６が形成された第２の水平材４７とを有する。
【００２８】
土台３６は、平面視して縦長長方形となっているが、携帯電話２８を収納する窪み２９の他に、筆記具を収納するための平面視して円形の小穴５０〜５４が設けられている。なお、小穴の一つを矩形にして、消しゴムを入れるようにすることもできる。
柱材３８は直径が１５〜２０ｍｍで長さが２５〜３５ｃｍ程度、第１、第２の水平材４４、４７は直径が８〜１２ｍｍ程度で、それぞれ柱材３８からの突出長さが約８０ｍｍ程度となっている。
【００２９】
上下２段に設けられている第１の水平材４４には左右にそれぞれ２つずつの溝４０、４１と溝４２、４３が、大小のメガネの耳掛け部の幅に合わせて形成されている。従って、溝４０、４１と溝４２、４３とは、柱材３８を中心にして左右対称の位置にある。また、それぞれ対応する第１の水平材４４より少し上位置に上下二段に配置されている第２の水平材４７の前側には前後方向に並べて２つの溝４５、４６が形成され、メガネの鼻掛け部を載せることができるようになっている。
【００３０】
従って、第３の実施の形態に係るメガネ掛け具３５においては、小型のメガネを収納する場合は、溝４１、４２に耳掛け部を載せ、溝４６に鼻掛け部を載せる。大型のメガネを収納する場合は、溝４０、４３に耳掛け部を、溝４５に鼻掛け部を載せることになる。
これによって、大小のメガネをそれぞれガタなくこのメガネ掛け具３５に装着することができる。
【００３１】
以上の実施の形態においては、それぞれの溝の深さは第１、第２の水平材が断面円形の場合は直径の半分程度切り込むのがよい。各溝の幅は例えば３〜１０ｍｍ程度である。
また、以上の実施の形態においては、柱材、第１、第２の水平材はそれぞれ断面円形であったが、断面角形であってもよい。
前記実施の形態は全部木製であったが、その一部又は全部が合成樹脂製であってもよい。なお、前記実施の形態においては、具体的寸法を用いて説明したが、本考案は本考案の要旨を変更しない範囲でこれらの寸法には限定されない。
【符号の説明】
【００３２】
１０：メガネ掛け具、１１：鼻掛け部、１２、１３：レンズ部、１４、１５耳掛け部、１６：メガネ、１８：土台、１９：基端部、２０：柱材、２２、２３：溝、２４：第１の水平材、２５：溝、２６：第２の水平材、２８：携帯電話、２９：窪み、３１：メガネ掛け具、３２：柱材、３５：メガネ掛け具、３６：土台、３７：基端部、３８：柱材、４０〜４３：溝、４４：第１の水平材、４５、４６：溝、４７：第２の水平材、５０〜５４：小穴
【図１】
0003161405.tif 000003
【図２】
0003161405.tif 000004
【図３】
0003161405.tif 000005
【図４】
0003161405.tif 000006